(57)【要約】      （修正有）【課題】多方向へ傾斜可能な身体伸長器を提供する。【解決手段】身体伸長器は、ステップ１０及び組み合わせ部材２０を備える。ステップ１０は、上面１０１及び底面１０２を有する。上面１０１には、２つの足踏み部が凹設される。足踏み部の両側部には、第１の固定孔１２がそれぞれ形成されているとともに、凸弧面が底面１０２に形成されている。底面１０２の両側部には、複数の第２の固定孔１４がそれぞれ形成されている。底面１０２の前後辺には、第３の固定孔１５がそれぞれ形成されている。底面１０２の中央部には、少なくとも１つの第４の固定孔１６が形成されている。組み合わせ部材２０には、第１の固定孔１２、第２の固定孔１４、第３の固定孔１５、第４の固定孔１６に選択的に挿設される少なくとも１つのピン２１が突設され、組み合わせ部材２０が床に当接されることによりステップ１０が傾斜する。【選択図】図２
0003194929.tif 000002
【実用新案登録請求の範囲】
【請求項１】
ステップ及び組み合わせ部材を備えた身体伸長器であって、
ステップは、上面及び底面を有し、上面には、２つの足踏み部が凹設され、足踏み部の両側部には、第１の固定孔がそれぞれ形成されているとともに、凸弧面が底面に形成され、底面の両側部には、複数の第２の固定孔がそれぞれ形成され、底面の前後辺には、第３の固定孔がそれぞれ形成され、底面の中央部には、少なくとも１つの第４の固定孔が形成され、
組み合わせ部材には、第１の固定孔、第２の固定孔、第３の固定孔、第４の固定孔に選択的に挿設される少なくとも１つのピンが突設され、組み合わせ部材が床に当接されてステップが傾斜状態となることを特徴とする身体伸長器。
【請求項２】
組み合わせ部材は、半円柱状に形成されるとともに、円弧部及び平面部を有し、
ピンは、個数が２つであるとともに、平面部の両端にそれぞれ形成されていることを特徴とする請求項１に記載の身体伸長器。
【請求項３】
組み合わせ部材は弾性を有する皿体であり、
ピンは、組み合わせ部材の中央部に１つ形成されていることを特徴とする請求項１に記載の身体伸長器。
【請求項４】
ステップの足踏み部の前端部には、２つの連結孔が形成され、
連結孔には、引き紐がそれぞれ係合され、引き紐の末端には、ハンドルが取り付けられていることを特徴とする請求項１〜３のいずれか１項に記載の身体伸長器。
【請求項５】
足踏み部には、複数のマッサージ突起部が突設されていることを特徴とする請求項１に記載の身体伸長器。
【請求項６】
ステップの底面には、複数のマッサージ凸部が突設され、
マッサージ凸部は、平行に配列された２本に形成されていることを特徴とする請求項１に記載の身体伸長器。
【請求項７】
ピンの周縁には、複数のリブが突設されていることを特徴とする請求項１に記載の身体伸長器。
【考案の詳細な説明】
【技術分野】
【０００１】
本考案は、身体伸長器に関するものであり、さらに詳しくは、様々な方向へ傾く身体伸長器に関するものである。
【背景技術】
【０００２】
現代人は仕事などで忙しくて運動不足になりやすい上、身体の血液循環及び筋肉のコリ・痛みなどが生じやすく、この問題に対処するために様々な身体伸長器が開発されている。これにより利用者は、筋群を伸縮したり血液の循環を促進させたりすることができるが、一般の身体伸長器は重くて高価である上、携帯が容易でないものが多かった。
【０００３】
また利用者の筋群を伸縮するステッパー健康器具が一部のメーカーにより開発されている。ステッパー健康器具は、踏み板を含む。この踏み板は、利用者が足を乗せる頂面を有し、踏み板の底面には、円弧状の凸部が設けられている。一般に凸部は踏み板の底面に対して横向きに形成され、利用者は前後方向への揺動動作を行って両足の筋を前方又は後方へ伸ばす運動を行うことができるが、上述の従来構造を詳しく見ると分かるように、踏み板の運動方式が単純で簡素であるため、利用者は飽き易い上、前後方向のみにしか揺動することができず、左右方向へ揺動する様々な角度で伸長運動を行うことができず、変化を求める利用者のニーズを満たすことができず、実用的でなかった。
【考案の概要】
【考案が解決しようとする課題】
【０００４】
従って、本考案の課題は、踏み板が前後及び左右の多方向へ揺動可能であり、脚部筋肉の前後方向及び左右方向への伸長運動を可能とする身体伸長器を提供することにある。
【課題を解決するための手段】
【０００５】
そこで本考案者は、上記の本考案の課題を解決するため、鋭意検討を重ねた結果、ステップ及び組合せ部材からなる身体伸長器であって、ステップの上面の両側部には、第１の固定孔がそれぞれ形成され、底面の両側部には、複数の第２の固定孔がそれぞれ形成され、底面の前後辺には、第３の固定孔がそれぞれ形成され、底面の中央部には、少なくとも１つの第４の固定孔が形成され、組み合わせ部材のピンが第１の固定孔、第２の固定孔、第３の固定孔、第４の固定孔に選択的に挿設され、組み合わせ部材が床に当接されてステップが傾斜する伸長器が上記課題を解決できることに着目した。かかる知見に基いて本考案に想到した。
かくして、本考案によれば、
ステップ及び組み合わせ部材を備えた身体伸長器であって、
ステップは、上面及び底面を有し、上面には、２つの足踏み部が凹設され、足踏み部の両側部には、第１の固定孔がそれぞれ形成されているとともに、凸弧面が底面に形成され、底面の両側部には、複数の第２の固定孔がそれぞれ形成され、底面の前後辺には、第３の固定孔がそれぞれ形成され、底面の中央部には、少なくとも１つの第４の固定孔が形成され、
組み合わせ部材には、第１の固定孔、第２の固定孔、第３の固定孔、第４の固定孔に選択的に挿設される少なくとも１つのピンが突設され、組み合わせ部材が床に当接されてステップが傾斜状態となることを特徴とする身体伸長器が提供される。
【０００６】
上記身体伸長器において、組み合わせ部材は、半円柱状に形成されるとともに、円弧部及び平面部を有し、
【０００７】
ピンは、個数が２つであるとともに、平面部の両端にそれぞれ形成されていることが好ましい。
【０００８】
上記身体伸長器において、組み合わせ部材は弾性を有する皿体であり、
ピンは、組み合わせ部材の中央部に１つ形成されていることが好ましい。
【０００９】
上記身体伸長器において、ステップの足踏み部の前端部には、２つの連結孔が形成され、連結孔には、引き紐がそれぞれ係合され、引き紐の末端には、ハンドルが取り付けられていることが好ましい。
【００１０】
上記身体伸長器において、足踏み部には、複数のマッサージ突起部が突設されていることが好ましい。
【００１１】
上記身体伸長器において、ステップの底面には、複数のマッサージ凸部が突設され、
マッサージ凸部は、平行に配列された２本に形成されていることが好ましい。
上記身体伸長器において、ピンの周縁には、複数のリブが突設されていることが好ましい。
【考案の効果】
【００１２】
本考案は、上記の通りの構成からなり、組合せ部材を、ステップの上面又は底面に横方向又は縦方向に取付けることにより、多方向への複雑な動作をすることができ、両足の前後方向又は横方向への筋肉又は腱の伸長運動を行うことができる。
【図面の簡単な説明】
【００１３】
【図１】図１は、本考案の一実施形態に係る身体伸長器を示す斜視図である。
【図２】図２は、本考案の一実施形態に係る身体伸長器を示す分解斜視図である。
【図３】図３は、本考案の一実施形態に係る身体伸長器を示す断面図である。
【図４】図４は、本考案の一実施形態に係る身体伸長器を使用するときの状態を示す簡略図である。
【図５】図５は、本考案の一実施形態に係る身体伸長器の使用状態を示す斜視図（１）である。
【図６】図６は、本考案の一実施形態に係る身体伸長器の使用状態を示す分解斜視図（１）である。
【図７】図７は、本考案の一実施形態に係る身体伸長器の使用状態を示す斜視図（２）である。
【図８】図８は、本考案の一実施形態に係る身体伸長器の使用状態を示す分解斜視図（２）である。
【図９】図９は、本考案の一実施形態に係る身体伸長器の使用状態を示す斜視図である。
【図１０】図１０は、本考案の一実施形態に係る身体伸長器の使用状態を示す分解斜視図である。
【図１１】図１１は、本考案の一実施形態による身体伸長器の他の使用状態の説明図である。
【考案を実施するための形態】
【００１４】
（第1実施形態）
図１及び図２を参照する。図１及び図２に示すように、本考案の一実施形態に係る身体伸長器は、少なくともステップ１０及び組み合わせ部材２０から構成されてなる。ステップ１０は、上面１０１及び底面１０２を有する。上面１０１には、２つの足踏み部１１が凹設されている。足踏み部１１には、複数のマッサージ突起部１１１が突設されている。足踏み部１１は、両側部に第１の固定孔１２が形成され、底面１０２に凸弧面が形成されている。底面１０２には、複数のマッサージ凸部１３が突設されている。マッサージ凸部１３は、平行に配列された２本により形成され、底面１０２の両側部には、複数の第２の固定孔１４が形成されている。ステップ１０の底面１０２の前後辺には、第３の固定孔１５が形成され、底面１０２の中央部には、少なくとも１つの第４の固定孔１６が形成されている。組み合わせ部材２０には、第１の固定孔１２、第２の固定孔１４、第３の固定孔１５、第４の固定孔１６に選択的に挿設される少なくとも１つのピン２１が突設されている。ピン２１の周縁には、複数のリブ２１１が突設され、ピン２１が挿設されるとリブ２１１により堅牢性が高まり、組み合わせ部材２０により様々なステップ１０に変化させることができ、実用的である。
【００１５】
（第１実施形態）
図１〜図４を参照する。図１〜図４に示すように、本考案の第１実施形態に係る身体伸長器の組み合わせ部材２０は、半円柱状に形成され、円弧部２２及び平面部２３を有する。ピン２１は、個数が２つであり、平面部２３の両端にそれぞれ形成されている。組み合わせ部材２０は、ステップ１０の第２の固定孔１４にピン２１が挿設され、ステップ１０の底面１０２に組み合わせ部材２０が横設される。利用者がステップ１０の足踏み部１１に両足を乗せて立ち、組み合わせ部材２０の円弧部２２により両足を乗せたステップ１０が前後に傾くと、利用者の両足の前後の筋肉又は腱を伸ばすことができる。
図５及び図６に示すように、利用者は、組み合わせ部材２０のピン２１をステップ１０の第３の固定孔１５に挿設し、組み合わせ部材２０が縦向きでステップ１０の底面１０２に位置し、利用者がステップ１０の足踏み部１１に両足を乗せると、両足でステップ１０を操作して組み合わせ部材２０の円弧部２２により左右に傾き、両足の横方向への筋肉又は腱を伸ばす運動を行うことができる。
図７及び図８に示すように、組み合わせ部材２０のピン２１がステップ１０の第１の固定孔１２に取り付けられ、ステップ１０の上面１０１には、組み合わせ部材２０が横設されている。ステップ１０を反転させて、組み合わせ部材２０の円弧部２２を床に当接させると、利用者はステップ１０の底面１０２に両足を乗せて立つことができる。底面１０２の凸弧面は足裏の形状に対応して湾曲しており、組み合わせ部材２０の円弧部２２との組み合わせによりステップ１０が前後に傾くため、平面を踏むときに伸びるのとは異なる筋肉又は腱を伸ばすことができる。上述したことから分るように、利用者は必要に応じて運動方式を変更することができるため実用的である。
【００１６】
（第２実施形態）
図９及び図１０を参照する。図９及び図１０に示すように、本考案の第３実施形態に係る身体伸長器の組み合わせ部材２０は弾性を有する皿体である。ピン２１は、個数が１つである上、組み合わせ部材２０の中央部に形成されている。ステップ１０は、組み合わせ部材２０を介して床上に載置され、利用者がステップ１０の足踏み部１１に足を乗せて立つと、組み合わせ部材２０自体が有する弾性により傾いて利用者の筋肉又は腱が伸びて様々な運動を行うことができる。もう一つの使用方式としては、図１１に示すように、ステップ１０の足踏み部１１の前端部には、２つの連結孔１７が形成されている。これらの連結孔１７には、引き紐１８がそれぞれ係合されている。引き紐１８の末端には、ハンドル１８１が取り付けられ、利用者はこのハンドル１８１を両手で握持し、引き紐１８によりステップ１０を制御すると、ステップ１０の傾き又は重心位置の調整を行うことができる。そのため、使用効果及び安全性が高い。
【００１７】
上述したことから分るように、ステップ１０の上面１０１の両側部には、第１の固定孔１２が形成され、底面１０２の両側辺には、複数の第２の固定孔１４が形成され、底面１０２の前後辺には、第３の固定孔１５が形成され、且つ、底面１０２の中央部には、少なくとも１つの第４の固定孔１６が形成されている。組み合わせ部材２０のピン２１が第１の固定孔１２、第２の固定孔１４、第３の固定孔１５、第４の固定孔１６に選択的に挿設され、組み合わせ部材２０が床に当接されているため、筋肉又は腱を伸ばす様々な運動を行うことができ、実用的である。
【符号の説明】
【００１８】
１０  ステップ
１１  足踏み部
１２  第１の固定孔
１３  マッサージ凸部
１４  第２の固定孔
１５  第３の固定孔
１６  第４の固定孔
１７  連結孔
１８  引き紐
２０  組み合わせ部材
２１  ピン
２２  円弧部
２３  平面部
１０１  上面
１０２  底面
１１１  マッサージ突起部
１８１  ハンドル
２１１  リブ
【図１】
0003194929.tif 000003
【図２】
0003194929.tif 000004
【図３】
0003194929.tif 000005
【図４】
0003194929.tif 000006
【図５】
0003194929.tif 000007
【図６】
0003194929.tif 000008
【図７】
0003194929.tif 000009
【図８】
0003194929.tif 000010
【図９】
0003194929.tif 000011
【図１０】
0003194929.tif 000012
【図１１】
0003194929.tif 000013